(57)【要約】      （修正有）【課題】必要時においてその都度、所望の収納物を速やかに取り出せる小型財布と小物収納具の組み合わせを提供する。【解決手段】（１）布、合成樹脂、皮革等の軟質性材料にて形成され、ポケットティッシュ、リップクリーム、手鏡、タバコ、ライター等の小物を収納する上端開口の有底型箱部と、（２）有底型箱部後面のティッシュ等のファスナー型取出し口と、（３）布、合成樹脂、皮革等の軟質性材料にて形成され、有底型箱部に収納できる小型財布と、（４）更に小型財布が有底型箱内部で移動しないための仕切り、により構成した。【選択図】図１
0003218447.tif 000002
【実用新案登録請求の範囲】
【請求項１】
▲１▼布、合成樹脂、皮革等の軟質性材料にて形成され、ポケットティッシュ、リップクリーム、手鏡、タバコ、ライター等の小物を収納する上端開口の有底型箱部と、
▲２▼前記有底型箱部後面のティッシュ等のファスナー型取出し口と、
▲３▼合成樹脂、皮革等の軟質性材料にて形成され、前記有底型箱部に収納できる小型財布と、
▲４▼更に前記小型財布が前記有底型箱内部で移動しないための仕切りにより成したことを特徴とする小物収納具。
【請求項２】
前記上端開口の有底型箱部は、一枚の素材の四方を折り返して形成された背板と表板と両側部を縫合して箱上に形成し、且つ該背板を伸長して前記有底型箱部に被着する長方形のカバーとしたことを特徴とする請求項１記載の小物収納具。
【請求項３】
前記小型財布は、一枚の長方形の素材を折り曲げて収納部が形成され、紙幣、カード、コイン等を収納することを特徴とする請求項１記載の小型財布。
【考案の詳細な説明】
【技術分野】
【０００１】  本考案はポケットティッシュ、リップクリーム、手鏡、タバコ、ライター等の小物類とキャッシュカード等、紙幣、コインの金銭類を分類し収納する小物収納具に関する。
【背景技術】
【０００２】  今日、花粉、ダスト等によるアレルギー性鼻炎は国民病とまで言われており、ティッシュは必需品といっても過言ではない。また外出時に身の回り品の多様化に伴い、財布以外にも身だしなみを整えるリップクリームや手鏡等、嗜好品のタバコやライターの小物を多数持ち運んでいる。
この特許文献１は、ティッシュ以外にゴミ収納を前提とした収納部を有しているが、開口部に覆いがないため収納物が外部へ飛散する可能性がある。
更に特許文献２については、ティッシュケース内に仕切りを設けた収納部にカード、名刺、コイン等を収納できるが、分類しての収納はできない。またファスナー開閉のため、収納部の最奥部のコイン等の出し入れが容易ではない。
【先行技術文献】
【０００３】
【特許文献１】特開２０１５−１０１４０９  公報
【特許文献２】実用新案登録第３１７７５７９号  公報
【考案の概要】
【考案が解決しようとする課題】
【０００４】  身の回り品の多様化に伴い、ポケットティッシュ、リップクリーム、手鏡等、タバコ、ライター等の小物を多数持ち歩くことから、複数の小物をまとめて収納でき、さらにキャッシュカード、紙幣、コインも同時収納できる、且つ使用時においては速やかに取り出せることとする。
【課題を解決するための手段】
【０００５】  本考案は、布、合成樹脂、皮革等の軟質性材料にて形成され、ポケットティッシュ、リップクリーム、手鏡、タバコ、ライター等の小物を収納する上端開口の有底型箱部と、前記有底型箱部後面のティッシュ等のファスナー型取出し口と、合成樹脂、皮革等の軟質性材料にて形成され、前記有底型箱部に収納できる小型財布と、更に前記袋状小物が前記有底型箱内部で移動しないための仕切りにより成したことを特徴とするものである。【０００６】  更に本考案は、上端開口の有底型箱部は、一枚の素材の四方を折り返して形成された背板と表板と両側部を縫合して箱上に形成し、且つ該背板を伸長して前記有底型箱部に被着する長方形のカバーとしたことを特徴とするものである。【０００７】  更に本考案は、前記小型財布は、一枚の長方形の素材を折り曲げて収納部が形成され、紙幣、カード、コイン等を収納することを特徴とするものである。
【考案の効果】
【０００８】（１）請求項１により、ポケットティッシュと共に、リップクリーム、手鏡、タバコ、ライター等の小物を一括に持ち歩くことができる。また、長方形のカバーを開くことなく、中の小物を取り出すことなく、背板のファスナー部からティッシュのみを取り出すことかでいる。中の小物の出し入れにおいては、長方形のカバーはマグネットホックにて被着しているため開閉を容易におこなうことができる。収納物が無用に落ちこぼれることもない。【０００９】（２）請求項３により、小型財布は、前記有底型箱部と独立した構造をなすため、会計等でキャッシュカード、紙幣、コインが必要な際は小型財布を本体より取出し、会計等を円滑容易に行うことができる。
【図面の簡単な説明】
【００１０】
【図１】小物収納具の斜視図
【図２】同上の側面図
【図３】同上の背面図
【図４】小型財布の斜視図
【図５】同上の正面図
【図６】同上の側面図
【考案を実施するための形態】
【００１１】  以下本考案を実施形態の図面に基づいて説明すると、図１は小物収納具の斜視図であって、小物収納具本体１及び長方形のカバー２は布、合成樹脂、皮革等の軟質性材料にて形成されると共に、上端開口１ａを中心として矢印方向Ｘに開蓋される前面収納部Ａ及び後面収納部Ｂにて構成されている。
【００１２】  前面収納部Ａには小型財布を収納することができる。後面収納部Ｂにはポケットティッシュ、リップクリーム、手鏡、タバコ、ライター等の小物を収納し持ち運ぶことができる。
更に、カバー２を開閉することなく、背面の取出し口Ｃからポケットティッシュを容易に取り出すことができる。
【００１３】  図４は、前面収納部Ａに収納する小型財布の斜視図であって、小型財布本体５及び長方形のカバー６は布、合成樹脂、皮革等の軟質性材料にて形成されると共に、上端開口５ａを中心として矢印方向Ｘに開蓋される前面収納部Ｄ及び後面収納部Ｅにて構成されている。
【００１４】  前面収納部Ｄにはコインを収納することができる。また、前面収納部Ｄの開口部にはファスナーがありコインが落ちこぼれることはない。後面収納部Ｅにはキャッシュカードや紙幣を収納することができる。
小型財布は小物収納具本体１の前面収納部Ａに挿入することにより身の回りの物と一括で持ち運ぶことができる。
【符号の説明】
【００１５】Ａ      収納部（小型財布）
Ｂ      収納部（ポケットティッシュ、他小物等）
Ｃ      取出し口（ポケットティッシュ）
Ｄ      収納部（コイン）
Ｅ      収納部（カード、紙幣：３つ折り、４つ折り）
１      小物収納具本体
２      カバー２
３、４  凹凸マグネットホック
５      小型財布本体
６      カバー６
７、８  凹凸ホック
【図１】
0003218447.tif 000003
【図２】
0003218447.tif 000004
【図３】
0003218447.tif 000005
【図４】
0003218447.tif 000006
【図５】
0003218447.tif 000007
【図６】
0003218447.tif 000008
【手続補正書】
【提出日】平成30年7月26日(2018.7.26)
【手続補正１】
【補正対象書類名】実用新案登録請求の範囲
【補正対象項目名】全文
【補正方法】変更
【補正の内容】
【実用新案登録請求の範囲】
【請求項１】
（１）布、合成樹脂、皮革等の軟質性材料にて形成され、ポケットティッシュ、リップクリーム、手鏡、タバコ、ライター等の小物を収納する上端開口の有底型箱部と、
（２）前記有底型箱部後面のティッシュ等のファスナー型取出し口と、
（３）布、合成樹脂、皮革等の軟質性材料にて形成され、前記有底型箱部に収納できる小型財布と、
（４）更に前記小型財布が前記有底型箱内部で移動しないための仕切りにより成したことを特徴とする小型財布と小物収納具の組み合わせ。
【請求項２】
前記上端開口の有底型箱部は、一枚の素材の四方を折り返して形成された背板と表板と両側部を縫合して箱上に形成し、且つ該背板を伸長して前記有底型箱部に被着する長方形のカバーとしたことを特徴とする請求項１記載の小物収納具。
【請求項３】
前記小型財布は、一枚の長方形の素材を折り曲げて収納部が形成され、紙幣、カード、コイン等を収納することを特徴とする請求項１記載の小型財布。